(57)【要約】  【課題】背丈の違いや接地体の種類や有無に拘わらず複数枚のスクリーンを自由に装脱して配置することが容易にできるスクリーンシステムを提供する  【解決手段】少なくとも側縁部に磁石Ｍ１、Ｍ２を設けた複数枚のスクリーンＳ１、Ｓ２を具備してなり、それらのスクリーンＳ１、Ｓ２を前記磁石Ｍ１、Ｍ２の磁力を利用して連結することができるようにしたスクリーンシステムＳＳにおいて、前記各スクリーンＳ１、Ｓ２が前記側縁部における共通の高さ位置Ｈに基本の磁石Ｍ１を有しており、前記共通の高さ位置Ｈは、各スクリーンＳ１、Ｓ２が床面Ｆに接する接地体を有しているか否かにかかわらず、また、接地体の種類にかかわらず前記床面Ｆに対する前記基本の磁石Ｍ１の高さ位置である構成を採用する。【選択図】図２
2020049175.tif 000002
【特許請求の範囲】
【請求項１】
少なくとも側縁部に磁石を設けた複数枚のスクリーンを具備してなり、それらのスクリーンを前記磁石の磁力を利用して連結することができるようにしたスクリーンシステムであって、
前記各スクリーンは、前記側縁部における共通の高さ位置に基本の磁石を有しており、前記共通の高さ位置は、各スクリーンが床面に接する接地体を有しているか否かにかかわらず、また、接地体の種類にかかわらず前記床面に対する前記基本の磁石の高さ位置であることを特徴とするスクリーンシステム。
【請求項２】
前記スクリーンの全部又はいずれかは、前記基本の磁石よりも上に磁石を有しないものである請求項１記載のスクリーンシステム。
【請求項３】
前記スクリーンの全部又はいずれかは、前記基本の磁石よりも一定の上方離間距離だけ上に偏移した位置に上段の磁石を有したものである請求項１記載のスクリーンシステム。
【請求項４】
前記スクリーンの全部又はいずれかは、前記基本の磁石よりも一定の下方離間距離だけ下に偏移した位置に下段の磁石を有したものである請求項１記載のスクリーンシステム。
【請求項５】
前記基本の磁石が、前記スクリーンの側縁部と上縁部とが交差する上コーナに設けられている請求項２記載のスクリーンシステム。
【請求項６】
前記上段の磁石が、前記スクリーンの側縁部と上縁部とが交差する上コーナに設けられている請求項３記載のスクリーンシステム。
【請求項７】
前記下段の磁石が、前記スクリーンの側縁部と下縁部とが交差する下コーナに設けられている請求項４記載のスクリーンシステム。
【請求項８】
前記下コーナに設けられた左、右の磁石の離間距離が、前記下方離間距離と等しくなるように前記スクリーンの幅寸法が設定されている請求項７記載のスクリーンシステム。
【請求項９】
前記スクリーンの側縁部と上縁部とが交差する上コーナに上段の磁石が設けられており、前記上段の磁石の前記基本の磁石に対する上方離間距離が、前記下方離間距離に等しい値に設定されている請求項８記載のスクリーンシステム。
【発明の詳細な説明】
【技術分野】
【０００１】
本発明は、ラウンジやオフィス内の空間を仕切る場合等に好適に使用されるスクリーンシステムに関する。
【背景技術】
【０００２】
従来、この種のスクリーンシステムとして、複数枚のスクリーンをジョイント部材を介して機械的に連結したものが知られている（例えば、非特許文献１参照）。
【０００３】
このようなスクリーンシステムは、各スクリーンを乱れることなく整然と配置することができるため、多くの場所で使用されているが、スクリーン同士を着脱して自由に配置するようなシチュエーションではスクリーン同士の装脱に手間がかかるものであり、何らかの対策が望まれている。
【先行技術文献】
【非特許文献】
【０００４】
【非特許文献１】“パネルスクリーン”，コクヨ総合カタログ２０１８年版ファニチャー編，コクヨ株式会社，平成２９年１２月，ｐ．２０１
【発明の概要】
【発明が解決しようとする課題】
【０００５】
本発明は、このような事情に着目してなされたもので、背丈の違いや接地体の種類や有無に拘わらず複数枚のスクリーンを自由に装脱して配置することが容易にできるスクリーンシステムを提供することを目的としている。
【課題を解決するための手段】
【０００６】
請求項１記載の発明に係るスクリーンシステムは、少なくとも側縁部に磁石を設けた複数枚のスクリーンを具備してなり、それらのスクリーンを前記磁石の磁力を利用して連結することができるようにしたスクリーンシステムであって、前記各スクリーンは、前記側縁部における共通の高さ位置に基本の磁石を有しており、前記共通の高さ位置は、各スクリーンが床面に接する接地体を有しているか否かにかかわらず、また、接地体の種類にかかわらず前記床面に対する前記基本の磁石の高さ位置であるものである。
【０００７】
なお、本発明において、「共通の高さ位置」とは、床面に対する基本の磁石の中心の高さ位置を意味する概念である。
【０００８】
請求項２記載の発明に係るスクリーンシステムは、請求項１記載のものにおいて、前記スクリーンの全部又はいずれかが前記基本の磁石よりも上に磁石を有しないものである。
【０００９】
請求項３記載の発明に係るスクリーンシステムは、請求項１記載のものにおいて、前記スクリーンの全部又はいずれかが前記基本の磁石よりも一定の上方離間距離だけ上に偏移した位置に上段の磁石を有したものである。
【００１０】
請求項４記載の発明に係るスクリーンシステムは、請求項１記載のものにおいて、前記スクリーンの全部又はいずれかが前記基本の磁石よりも一定の下方離間距離だけ下に偏移した位置に下段の磁石を有したものである。
【００１１】
請求項５記載の発明に係るスクリーンシステムは、請求項２記載のものにおいて、前記基本の磁石が、前記スクリーンの側縁部と上縁部とが交差する上コーナに設けられているものである。
【００１２】
請求項６記載の発明に係るスクリーンシステムは、請求項３記載のものにおいて、前記上段の磁石が、前記スクリーンの側縁部と上縁部とが交差する上コーナに設けられているものである。
【００１３】
請求項７記載の発明に係るスクリーンシステムは、請求項４記載のものにおいて、前記下段の磁石が、前記スクリーンの側縁部と下縁部とが交差する下コーナに設けられているものである。
【００１４】
請求項８記載の発明に係るスクリーンシステムは、請求項７記載のものにおいて、前記下コーナに設けられた左、右の磁石の離間距離が、前記下方離間距離と等しくなるように前記スクリーンの幅寸法が設定されているものである。
【００１５】
請求項９記載の発明に係るスクリーンシステムは、請求項８記載のものにおいて、前記スクリーンの側縁部と上縁部とが交差する上コーナに上段の磁石が設けられており、前記上段の磁石の前記基本の磁石に対する上方離間距離が、前記下方離間距離に等しい値に設定されているものである。
【００１６】
なお、本発明において、「磁石の離間距離」とは、磁石の中心間の距離を示す概念である。
【発明の効果】
【００１７】
本発明によれば、背丈の違いや接地体の種類や有無に拘わらず複数枚のスクリーンを自由に装脱して配置することが容易にできるスクリーンシステムを提供することが可能となる。
【図面の簡単な説明】
【００１８】
【図１】本発明の第１の実施形態に係るスクリーンシステムを示す斜視図。
【図２】同実施形態に係るスクリーンシステムを示す正面図。
【図３】同実施形態に係る一方のスクリーンを示す分解斜視図。
【図４】図２におけるＡ−Ａ線に沿った要部拡大断面図。
【図５】同実施形態に係る一方のスクリーンのスクリーン本体を示す分解斜視図。
【図６】図２におけるＣ部拡大図。
【図７】図２におけるＤ部拡大図。
【図８】図２におけるＸ部拡大図。
【図９】同実施形態に係る他方のスクリーンのスクリーン本体を示す分解斜視図。
【図１０】本発明の第２の実施形態に係るスクリーンシステムを示す概略図。
【図１１】同実施形態に係るスクリーン同士の近接態様を示す概略図。
【図１２】本発明の第３の実施形態を構成する各スクリーンを示す概略図。
【図１３】同実施形態に係るスクリーンシステムを示す概略図。
【図１４】本発明の第４の実施形態を構成する各スクリーンを示す概略図。
【図１５】同実施形態に係るスクリーンシステムを示す概略図。
【発明を実施するための形態】
【００１９】
＜＜第１の実施形態＞＞（図１〜図９）
本発明の第１の実施形態を、図１〜図９を参照しつつ説明する。
【００２０】
この実施形態は、本発明を２枚のスクリーンＳ１を連結してなるスクリーンシステムＳＳに適用した場合のものである。
【００２１】
このスクリーンシステムＳＳは、図１及び図２に示すように、側縁部に磁石Ｍ１、Ｍ２を設けた２枚のスクリーンＳ１、Ｓ２を具備してなり、それらのスクリーンＳ１、Ｓ２を前記磁石Ｍ１、Ｍ２の磁力を利用して連結することができるようにしたものであって、前記各スクリーンＳ１、Ｓ２は、少なくとも側縁部における共通の高さ位置Ｈに基本の磁石Ｍ１を有している。上述した「共通の高さ位置Ｈ」は、各スクリーンＳ１、Ｓ２が床面Ｆに接する接地体を有しているか否かにかかわらず、また、接地体の種類にかかわらず床面Ｆに対する基本の磁石Ｍ１の高さ位置である。なお、後述するように、本実施形態の一方のスクリーンＳ１の接地体は脚体６２であり、他方のスクリーンＳ２の接地体はアジャスタ６３であり、相互に種類が異なっている。この実施形態のスクリーンＳ１、Ｓ２は、基本の磁石Ｍ１よりも上に磁石を有しないタイプのものである。そして、これら両スクリーンＳ１、Ｓ２は、基本の磁石Ｍ１よりも一定の下方離間距離Ｚだけ下に偏移した位置に下段の磁石Ｍ２を有している。以下、各スクリーンＳ１、Ｓ２について説明する。
【００２２】
＜一方のスクリーンＳ１＞
一方のスクリーンＳ１は、平面視直線状をなすストレートタイプのものであり、図１〜図４に示すように、枠状をなすスクリーン本体１と、このスクリーン本体１の両面に配された対をなす表装材２Ａ、２Ｂとを具備してなる。各表装材２Ａ、２Ｂは、図８に示すように、それぞれ光を通しにくい難透光部２ｘと、光を通しやすい透光部２ｙとをランダムに混在させて備えたものである。すなわち、図３及び図４に示すように、スクリーン本体１は、枠状に配されたフレーム３〜６の内側に空洞領域ＣＡを備えたものであり、両表装材２Ａ、２Ｂは、その空洞領域ＣＡを覆うようにしてフレーム３〜６に添設されている。そして、図１〜図４に示すように、各表装材２Ａ、２Ｂは、フレーム３〜６に対応する部位２１が難透光部２ｘにより構成され、空洞領域ＣＡに対応する部位２２に難透光部２ｘと透光部２ｙとをランダムに混在させて備えたものである。以下、具体的に説明する。
【００２３】
スクリーン本体１は、図１〜図３及び図５に示すように、右、左のフレーム３、４と、これら右、左のフレーム３、４の上端間を接続する上のフレーム５と、右、左のフレーム３、４の下端間を接続する下のフレーム６とを備えた枠状のもので、下のフレーム６には、接地体として右、左対をなす脚体６２が設けられている。各フレーム３〜６は、断面円形をなすパイプ材製のものであり、具体的には、非磁性体であるアルミパイプ素材により作られている。右、左のフレーム３、４は、起立姿勢をなすもので、上端３ａ、４ａ近傍部及び下端３ｂ、４ｂ近傍部の空洞領域ＣＡ側にそれぞれネジ挿通孔３ｘ、４ｘ、３ｙ、４ｙが設けられている。上のフレーム５は水平姿勢をなすもので、右、左両端に下方に延出する垂下部５１を有しており、それら両垂下部５１の下端５１ａ近傍部における空洞領域ＣＡ側にそれぞれネジ挿通孔５１ｘが設けられている。下のフレーム６は水平姿勢をなすもので、右、左両端に上方に延出する起立部６１を有しており、それら両起立部６１の上端６１ａ近傍部における空洞領域ＣＡ側にそれぞれネジ挿通孔６１ｘが設けられている。
【００２４】
そして、図５〜図７に示すように、右、左のフレーム３、４の上端３ａ、４ａと上のフレーム５における垂下部５１の下端５１ａとを上のフレーム接続部材７Ａにより接続するとともに、図５に示すように、右、左のフレーム３、４の下端３ｂ、４ｂと下のフレーム６における起立部６１の上端６１ａとを下のフレーム接続部材７Ｂにより接続している。図５〜図７に示すように、上のフレーム接続部材７Ａは、下側の片半部が右、左のフレーム３、４の上端部に嵌合するとともに、上側の片半部が上のフレーム５における垂下部５１の下端部に嵌合する棒状のもので、非磁性体である合成樹脂製のものである。上のフレーム接続部材７Ａの下側の片半部には、右、左のフレーム３、４のネジ挿通孔３ｘ、４ｘに対応する雌ネジ孔７１が形成されており、また、上側の片半部には、上フレームの垂下部５１に設けられたネジ挿通孔５１ｘに対応する雌ネジ孔７１が形成されている。そして、接続用のネジｖをネジ挿通孔３ｘ、４ｘ、５１ｘから対応する雌ネジ孔７１にそれぞれ螺合させ緊締することによって、右、左のフレーム３、４と上のフレーム５とが剛結されるようになっている。なお、７３は、組立時に上のフレーム接続部材７Ａをフレーム３、４に位置決めするための位置決め突起である。そして、右、左対をなす上のフレーム接続部材７Ａの下端には、それぞれ対応する右、左のフレーム３、４内に延出する磁石ホルダ７２が形成されており、磁石ホルダ７２の内面（より具体的には、後述するホルダ本体７２１の内周面７２１ａ）とフレームの内周面３ｓ、４ｓとの間に基準の磁石Ｍ１を収容する磁石収容室７２ａが形成されている。一方、下のフレーム接続部材７Ｂは、以上で説明した上のフレーム接続部材７Ａを上下に反転させたものであり、同一又は対応する部分に同一の符号を付して説明を省略する。しかして、下のフレーム接続部材７Ｂの磁石ホルダ７２の内面（より具体的には、後述するホルダ本体７２１の内周面７２１ａ）とフレームの内周面３ｓ、４ｓとの間に下方の磁石Ｍ２を収容する磁石収容室７２ａが形成されている。
【００２５】
ここで磁石収容室７２ａに関連して磁石Ｍ１、Ｍ２の取付け構造について説明する。このスクリーンＳ１は、図４〜図７に示すように、他のスクリーンＳ２を連結すべき縁部に磁石収容室７２ａを設け、その磁石収容室７２ａ内に連結用の磁石Ｍ１、Ｍ２を遊動可能に収容してなるものである。磁石収容室７２ａの内壁面（ホルダ本体７２１の内周面７２１ａ）の少なくとも一部は円筒状のものであり、その磁石収容室７２ａに収容された磁石Ｍ１、Ｍ２が内壁面の円筒状をなす部位に２つの隣接する角部Ｍ１ａ、Ｍ２ａを同時に線接触させ得る角柱状をなしている。この実施形態の磁石Ｍ１、Ｍ２は、４つの角部を有する四角柱状のもので、隣接する一対の角部間に位置する部位がＮ極となり、他方の隣接する一対を角部間に位置する部位がＳ極となるように着磁されている。なお、下段の磁石Ｍ２は基本の磁石と全く同一の形状をなしているため、その角部Ｍ２ａの磁石収容室７２ａの内壁面への線接触の態様は図示を省略している。
【００２６】
このスクリーンＳ１は、前述したように枠状に接続された複数のフレーム、すなわち、右、左のフレーム３、４、上のフレーム５、及び下のフレーム６を有し、右、左のフレーム３、４内に磁石収容室７２ａが設けられている。この実施形態のスクリーンＳ１は、突き合わせた右、左のフレーム３、４と上のフレーム５とに内嵌する右、左対をなすフレーム接続部材７Ａを有し、これらのフレーム接続部材７Ａを利用して基本の磁石Ｍ１を収容するための磁石収容室７２ａが形成されている。また、このスクリーンＳ１は、突き合わせた右、左のフレーム３、４と下のフレーム６とに内嵌する右、左対をなすフレーム接続部材７Ｂを有し、これらのフレーム接続部材７Ｂを利用して下段の磁石Ｍ２を収容するための磁石収容室７２ａが形成されている。なお、フレーム３〜６は前述したように断面円形をなす非磁性体製のパイプ材により構成されたものであり、右、左のフレーム３、４の内周面３ｓ、４ｓが、前記磁石収容室７２ａの円筒状をなす内壁面の一部を構成している。
【００２７】
以上説明した構造について観点を変えて説明すれば、このスクリーンＳ１は、非磁性体製の磁石ホルダ７２と、この磁石ホルダ７２に保持された連結用の磁石Ｍ１、Ｍ２とを備え、その磁石Ｍ１、Ｍ２を保持した磁石ホルダ７２がスクリーン本体１の縁部に取り付けられている。詳述すれば、スクリーン本体１は、フレーム３〜６を主体に構成されたフレーム構造をなすものであり、スクリーン本体１の縁部を構成する右、左のフレーム３、４に磁石ホルダ７２が磁石Ｍ１、Ｍ２とともに仕込まれている。すなわち、スクリーン本体１は、複数のフレーム３〜６がフレーム接続部材７Ａ、７Ｂを介して接続されたフレーム構造を備えたものであり、磁石ホルダ７２がフレーム接続部材７Ａ、７Ｂに一体に設けられている。具体的には、磁石ホルダ７２は、フレーム接続部材７Ａ、７Ｂの端面から突設されフレーム３、４の内周面の一部に添接する部分円筒体状をなすホルダ本体７２１と、このホルダ本体７２１の突出端に設けられフレーム接続部材７Ａ、７Ｂと協働して磁石Ｍ１、Ｍ２の上下動を規制する端板部７２２とを備えたもので、合成樹脂によりフレーム接続部材７Ａ、７Ｂとともに一体に成型されている。しかして、磁石収容室７２ａは、部分円弧状をなすフレーム３、４の内周面３ｓ、４ｓの一部と、この内周面３ｓ、４ｓに対向するホルダ本体７２１の内周面７２１ａとの間に形成されたもので、磁石収容室７２ａの上下端はフレーム接続部材７Ａ、７Ｂと磁石ホルダ７２の端板７２２とによって塞がれている。
【００２８】
以上説明したスクリーン本体１に装着される表装材２Ａ、２Ｂについて説明すれば、次の通りである。スクリーン本体１の一面側に張設された表の表装材２Ａと、他面側に張設された裏の表装材２Ｂは、全体として袋状をなすようにフレーム３〜６の外側において連続させてある。すなわち、これら表の表装材２Ａと裏の表装材２Ｂは、例えば、上縁と左右両側縁とが繋がった袋状の編み物として編み上げられ、スクリーン本体１に上から被せて下縁同士を接続することによってフレーム３〜６の外側に添設されるものである。この実施形態の表装材２Ａ、２Ｂは、糸素材２ｓを用いて作られたニットであり、難透光部２ｘは、糸素材２ｓが比較的密に編まれた編み目状構造をなすものであるとともに、透光部２ｙは糸素材２ｓが存在しない孔状をなすものである。図８は、図２における領域Ｘに存在する表の表装材２Ａのみを拡大して示すものである。すなわち、表の表装材２Ａは、編み目構造をなして連続する難透光部２ｘの間に多数の孔状の透光部２ｙがランダムに点在しているものである。裏の表層部２Ｂも表の表層部２Ａに準じた構成をなすもので、遠くから見た場合には両者は同じ印象を与えるが、透光部２ｙが難透光部２ｘに対してランダムに配されているので、表、裏の表層部２Ａ、２Ｂは細かく正確に比較した場合、全く異なったパターン形状をなしている。
【００２９】
＜他方のスクリーンＳ２＞
他方のスクリーンＳ２は、平面視Ｌ状をなすＬ型タイプのものであり、枠状をなすスクリーン本体１と、このスクリーン本体１の両面に配された対をなす表装材２Ａ、２Ｂとを具備してなる。
【００３０】
スクリーン本体１の構成は、上のフレーム５と下のフレーム６とが中央で直角に屈曲している点と、下のフレーム６の下に脚体６２に代えて接地体であるアジャスタ６３が設けられている点、及び、下のフレーム６の屈曲部下面側にウエイト板６４が設けられている点のみが一方のスクリーンＳ１と異なっており、基本的には一方のスクリーンＳ１と同じ考え方で構成されている。表、裏の表装材２Ａ、２Ｂについても、一方のスクリーンＳ１の場合と同じように袋状に編み上げた状態でフレーム本体に被せ、それら表裏の表装材２Ａ、２Ｂの下縁同士を下フレームの下面側で接続することによりフレーム本体に装着されている。そのため、一方のスクリーンＳ１と同一又は相当する部分には同じ符号を付して説明を省略する。
【００３１】
なお、これら両スクリーンＳ１、Ｓ２の接地体は、相互に異なった形式のものであるが、その支持高さは揃えてある。すなわち、少なくとも両スクリーンＳ１、Ｓ２の基本の磁石Ｍ１の高さ位置Ｈは同じになるように（床面Ｆと各磁石Ｍ１、Ｍ２との間の離間距離が同じになるように）設定されている。そして本実施形態では、両スクリーンＳ１、Ｓ２における基本の磁石Ｍ１と下段の磁石Ｍ２との間の距離である下方離間距離Ｚも同じになるように設定されている。
【００３２】
＜第１の実施形態の作用効果＞
このような構成のものであれば、各スクリーンＳ１、Ｓ２の基本の磁石Ｍ１同士が共通の高さ位置Ｈに存在するため、スクリーンＳ１、Ｓ２の側縁部同士を接近させることによって、隣接するスクリーンＳ１、Ｓ２同士を接続することができる。そして、基本の磁石Ｍ１同士の磁力に打ち勝つ力でスクリーンを引き離せば、スクリーン同士を分離することもできる。
【００３３】
また、本実施形態では、各スクリーンＳ１、Ｓ２の下段の磁石Ｍ２同士も共通の高さ位置に存在するため、下段の磁石Ｍ２同士の高さ位置も揃うことになり、基本の磁石Ｍ１同士、及び下段の磁石Ｍ２同士の磁力により両スクリーンを確実に接続することができる。
＜＜第２の実施形態＞＞（図１０〜図１１）
この実施形態のスクリーンシステムＳＳ２は、図１０に示すように、中背のスクリーンＢＳ１と、このスクリーンＢＳ１よりも背の低いスクリーンＢＳ２と、中背のスクリーンＢＳ１よりも背の高いスクリーンＢＳ３とを備えたものである。
【００３４】
これらのスクリーンＢＳ１〜ＢＳ３は、側縁部に磁石Ｍ１、Ｍ３を設けたものであり、それらのスクリーンＢＳ１〜ＢＳ３を磁石Ｍ１、Ｍ３の磁力を利用して連結することができるようなっている。
【００３５】
各スクリーンＢＳ１〜ＢＳ３は、側縁部における共通の高さ位置Ｈに基本の磁石Ｍ１を有している。共通の高さ位置Ｈとは、各スクリーンＢＳ１〜ＢＳ３が床面Ｆに接する接地体を有しているか否かにかかわらず、また、接地体の種類にかかわらず床面Ｆに対する基本の磁石Ｍ１の高さ位置を意味するものである。この実施形態の場合には、各スクリーンは直接床面Ｆ上に設置した状態を想定しており、床面Ｆと基本の磁石Ｍ１との離間距離Ｐがそれぞれ等しくなるように設定されている。
【００３６】
図１０に示すように、背の低いスクリーンＢＳ２は、基本の磁石Ｍ１よりも上に磁石を有しないものである。これに対して、同図に示すように、中背のスクリーンＢＳ１と背の高いスクリーンＢＳ３は、それぞれ基本の磁石Ｍ１よりも一定の上方離間距離Ｑだけ上に偏移した位置に上段の磁石Ｍ３を有したものある。
【００３７】
各磁石Ｍ１、Ｍ３は、第１の実施形態で述べた鉛直軸周りに自転可能な四角柱状のものであってもよいし、他の形態のものであってもよい。
【００３８】
このような構成のものであれば、各スクリーンの基本の磁石Ｍ１同士が共通の高さ位置Ｈに存在するため、図１１に示すように、スクリーンＢＳ１〜ＢＳ３の側縁部同士を接近させることによって、隣接するスクリーンＢＳ１〜ＢＳ３同士を接続することができる。そして、基本の磁石Ｍ１同士の磁力に打ち勝つ力でスクリーンＢＳ１〜ＢＳ３を引き離せば、スクリーンＢＳ１〜ＢＳ３同士を分離することもできる。
【００３９】
また、中背のスクリーンＢＳ１と背の高いスクリーンＢＳ３は、基本の磁石Ｍ１の上方に一定の上方離間距離Ｑだけあけて上方の磁石Ｍ３が設けられているので、上方の磁石Ｍ３同士の高さ位置も揃うことになり、基本の磁石Ｍ１同士、及び上方の磁石Ｍ３同士の磁力により両スクリーンＢＳ１、ＢＳ３を確実に接続することができる。
【００４０】
＜＜第３の実施形態＞＞（図１２〜図１３）
この実施形態のスクリーンシステムＳＳ３は、図１２及び図１３に示すように、背の高いスクリーンＣＳ１と、このスクリーンＣＳ１よりも背の低いスクリーンＣＳ２とを備えたものである。
【００４１】
これらのスクリーンＣＳ１、ＣＳ２は、側縁部に磁石Ｍ１、Ｍ２、Ｍ３を設けたものであり、それらのスクリーンＣＳ１、ＣＳ２を磁石Ｍ１、Ｍ２、Ｍ３の磁力を利用して連結することができるようなっている。
【００４２】
図１２に示すように、各スクリーンＣＳ１、ＣＳ２は、側縁部における共通の高さ位置Ｈに基本の磁石Ｍ１を有している。共通の高さ位置Ｈとは、前述した他の実施形態と同様に、各スクリーンＣＳ１、ＣＳ２が床面Ｆに接する接地体を有しているか否かにかかわらず、また、接地体の種類にかかわらず床面Ｆに対する基本の磁石Ｍ１の高さ位置を意味するものである。この第３の実施形態の場合には、各スクリーンＣＳ１、ＣＳ２は直接床面Ｆ上に設置した状態を想定しており、床面Ｆと基本の磁石Ｍ１との離間距離Ｐがそれぞれ等しくなるように設定されている。
【００４３】
背の高いスクリーンＣＳ１は、基本の磁石Ｍ１よりも一定の上方離間距離Ｒだけ上に偏移した位置に上段の磁石Ｍ３を有するとともに、基本の磁石Ｍ１よりも一定の下方離間距離Ｔだけ下に偏移した位置に下段の磁石Ｍ２を有したものであり、左、右対をなす下段の磁石Ｍ２は、スクリーンＣＳ１の側縁部と下縁部とが交差する下コーナにそれぞれ設けられている。そして、下コーナに設けられた左、右の磁石Ｍ２の離間距離Ｕが、前述した下方離間距離Ｔと等しくなるように前記スクリーンＣＳ１の幅寸法が設定されている。
【００４４】
背の低いスクリーンＣＳ２は、左、右対をなす基本の磁石Ｍ１が、当該スクリーンＣＳ２の側縁部と上縁部とが交差する上コーナにそれぞれ設けられており、また、基本の磁石Ｍ１よりも一定の下方離間距離Ｔだけ下に偏移した位置に下段の磁石Ｍ２を有している。左、右対をなす下段の磁石Ｍ２は、当該スクリーンＣＳ２の側縁部と下縁部とが交差する下コーナにそれぞれ設けられている。そして、下コーナに設けられた左、右の磁石Ｍ２の離間距離Ｕが、前述した下方離間距離Ｔと等しくなるように前記スクリーンＣＳ２の幅寸法が設定されている。
【００４５】
各磁石Ｍ１、Ｍ２、Ｍ３は、第１の実施形態で述べた鉛直軸周りに自転可能な四角柱状のものであってもよいし、他の形態のものであってもよい。
【００４６】
このような構成のものであれば、図１３に示すように、各スクリーンＣＳ１、ＣＳ２の基本の磁石Ｍ１同士が共通の高さ位置Ｈに存在するため、スクリーンＣＳ１、ＣＳ２の側縁部同士を接近させることによって、隣接するスクリーンＣＳ１、ＣＳ２同士を接続することができる。そして、基本の磁石Ｍ１同士の磁力に打ち勝つ力でスクリーンＣＳ１、ＣＳ２を引き離せば、スクリーンＣＳ１、ＣＳ２同士を分離することもできる。
【００４７】
また、この第３の実施形態によれば、背の高いスクリーンＣＳ１を横倒しにし、その下コーナの一方に設けられた下方の磁石Ｍ２と上コーナの一方に設けられた上方の磁石Ｍ３とを前述した共通の高さ位置Ｈに合致させさえすれば、この横倒しの背の高いスクリーンＣＳ１の両側に他のスクリーンＣＳ１、ＣＳ２を接続することができる。図１３では、横倒しのスクリーンＣＳ１の左に同一構造の背の高いスクリーンＣＳ１を正規の起立姿勢で接続するとともに、右に背の低いスクリーンＣＳ２を接続した例を示している。
【００４８】
＜＜第４の実施形態＞＞（図１４〜図１５）
この実施形態のスクリーンシステムＳＳ４は、図１４及び図１５に示すように、背の高いスクリーンＤＳ１と、このスクリーンＤＳ１よりも背の低いスクリーンＣＳ２とを備えたものである。
【００４９】
これらのスクリーンＤＳ１、ＤＳ２は、側縁部に磁石Ｍ１Ａ、Ｍ１Ｂ、Ｍ２、Ｍ３を設けたものであり、それらのスクリーンＤＳ１、ＤＳ２を磁石Ｍ１Ａ、Ｍ１Ｂ、Ｍ２、Ｍ３の磁力を利用して連結することができるようなっている。
【００５０】
図１４に示すように、各スクリーンＤＳ１、ＤＳ２は、側縁部における共通の高さ位置Ｈに第１の基本の磁石Ｍ１Ａを有している。共通の高さ位置Ｈとは、前述した他の実施形態と同様に、各スクリーンＤＳ１、ＤＳ２が床面Ｆに接する接地体を有しているか否かにかかわらず、また、接地体の種類にかかわらず床面Ｆに対する第１の基本の磁石Ｍ１Ａの高さ位置を意味するものである。この第４の実施形態の場合には、各スクリーンＤＳ１、ＤＳ２は直接床面Ｆ上に設置した状態を想定しており、床面Ｆと第１の基本の磁石Ｍ１Ａとの離間距離Ｐがそれぞれ等しくなるように設定されている。
【００５１】
背の高いスクリーンＤＳ１は、第１の基本の磁石Ｍ１Ａよりも一定の下方離間距離Ｔだけ下に偏移した位置に下段の磁石Ｍ２を有するとともに、第１の基本の磁石Ｍ１Ａよりも基本磁石間離間距離Ｖだけ上に偏移した位置に第２の基本の磁石Ｍ１Ｂ、この第２の基本の磁石Ｍ１Ｂよりもさらに上方離間距離Ｗだけ上に偏移した位置に上段の磁石Ｍ３をそれぞれ有し、左、右対をなす下段の磁石Ｍ２は、スクリーンＤＳ１の側縁部と下縁部とが交差する下コーナにそれぞれ設けられている。そして、下コーナに設けられた左、右の磁石Ｍ２の離間距離Ｕが、前述した下方離間距離Ｔと等しくなるように前記スクリーンＤＳ１の幅寸法が設定されている。また、前述した上方離間距離Ｗも、下方離間距離Ｔと等しくなるように設定されている。
【００５２】
背の低いスクリーンＤＳ２は、左、右対をなす基本の磁石Ｍ１が、当該スクリーンＤＳ２の側縁部と上縁部とが交差する上コーナにそれぞれ設けられており、また、基本の磁石Ｍ１よりも一定の下方離間距離Ｔだけ下に偏移した位置に下段の磁石Ｍ２を有している。左、右対をなす下段の磁石Ｍ２は、当該スクリーンＤＳ２の側縁部と下縁部とが交差する下コーナにそれぞれ設けられている。そして、下コーナに設けられた左、右の磁石Ｍ２の離間距離Ｕが、前述した下方離間距離Ｔと等しくなるように前記スクリーンＤＳ２の幅寸法が設定されている。
【００５３】
各磁石Ｍ１、Ｍ１Ａ、Ｍ１Ｂ、Ｍ２〜Ｍ４は、第１の実施形態で述べた鉛直軸周りに自転可能な四角柱状のものであってもよいし、他の形態のものであってもよい。
【００５４】
このような構成のものであれば、図１５に示すように、背の高いスクリーンＤＳ１の第１の基本の磁石Ｍ１Ａと背の低いスクリーンＤＳ２の基本の磁石Ｍ１とが共通の高さ位置Ｈに存在するため、スクリーンＤＳ１、ＤＳ２の側縁部同士を接近させることによって、隣接するスクリーンＤＳ１、ＤＳ２同士を接続することができる。そして、これら基本の磁石Ｍ１Ａ、Ｍ１同士の磁力に打ち勝つ力でスクリーンＤＳ１、ＤＳ２を引き離せば、スクリーンＤＳ１、ＤＳ２同士を分離することもできる。
【００５５】
また、この第４の実施形態によれば、背の高いスクリーンＤＳ１を横倒しにし、その下コーナの一方に設けられた下方の磁石Ｍ２と上コーナの一方に設けられた上方の磁石Ｍ３とを前述した共通の高さ位置Ｈに合致させさえすれば、この横倒しの背の高いスクリーンＤＳ１の両側に他のスクリーンＤＳ１、ＤＳ２を接続することができる。図１５では、横倒しのスクリーンＤＳ１の左に同一構造の背の高いスクリーンＤＳ１を正規の起立姿勢で接続するとともに、右に背の低いスクリーンＤＳ２を接続した例を示している。その上で、横倒しのスクリーンＤＳ１の上に同一構造の背の高いスクリーンＤＳ１を同じく横倒しの姿勢で載置するとともに、背の低いスクリーンＤＳ２の上に同一構造の背の低いスクリーンＤＳ２を載置している。この実施形態では、背の高いスクリーンＤＳ１の下方の磁石Ｍ２と、この下方の磁石Ｍ２が設けられている側のスクリーンＤＳ１の端縁との間の距離Ｄの２倍（２Ｄ）が基本磁石間離間距離Ｖと等しくなるように設定しているとともに、上方離間距離Ｗと左、右の磁石Ｍ２の離間距離Ｕとも等しくなるように設定しているので、上側の横倒しのスクリーンＤＳ１の一方の下方の磁石Ｍ２及び他方の下方の磁石Ｍ２の高さ位置が、それぞれその左に位置する正規の起立姿勢の背の高いスクリーンＤＳ１の第２の基本の磁石Ｍ１Ｂ及び上段の磁石Ｍ３と同一となり、これらのスクリーンＤＳ１をも好適に接続することができる。
【００５６】
＜＜その他の実施形態＞＞
なお、本発明は以上に述べた実施形態に限られない。
【００５７】
例えば、スクリーンシステムを構成する複数のスクリーンの全てが基本の磁石よりも上に上段の磁石を有するものであってもよい。このようなものであっても、上段の磁石が全て基本の磁石よりも一定の上方離間距離だけ上に偏移した位置に配されていれば、基本の磁石だけでなく上段の磁石の磁力も利用して隣接するスクリーン同士を接続することができる。
【００５８】
また、基本の磁石の高さ位置は任意の箇所に設定してよく、基本の磁石と上段の磁石との間の上方離間距離、及び基本の磁石と下段の磁石との間の下方離間距離も任意の値に設定してよい。
【００５９】
そして、下コーナに設けられた左、右の磁石の離間距離も任意の値に設定してよい。但し、左、右の磁石の離間距離が下方離間距離と等しくなるように設定したものであれば、上述した第３及び第４実施形態のように、横倒しにしたスクリーンの側方に、正規の起立姿勢にある同一構造を有する他のスクリーンを接続することができる。
【００６０】
その他、本発明の趣旨を損ねない範囲で種々に変形してよい。
【符号の説明】
【００６１】
ＳＳ、ＳＳ２、ＳＳ３、ＳＳ４…スクリーンシステム
Ｓ１、Ｓ２…スクリーン
ＢＳ１〜ＢＳ３…スクリーン
ＣＳ１、ＣＳ２…スクリーン
ＤＳ１、ＤＳ２…スクリーン
Ｈ…共通の高さ位置
Ｑ、Ｒ、Ｗ…上方離間距離
Ｚ、Ｔ…下方離間距離
Ｕ…左、右の磁石の離間距離
【図１】
2020049175.tif 000003
【図２】
2020049175.tif 000004
【図３】
2020049175.tif 000005
【図４】
2020049175.tif 000006
【図５】
2020049175.tif 000007
【図６】
2020049175.tif 000008
【図７】
2020049175.tif 000009
【図８】
2020049175.tif 000010
【図９】
2020049175.tif 000011
【図１０】
2020049175.tif 000012
【図１１】
2020049175.tif 000013
【図１２】
2020049175.tif 000014
【図１３】
2020049175.tif 000015
【図１４】
2020049175.tif 000016
【図１５】
2020049175.tif 000017